(57)【要約】      （修正有）【課題】シンプルな構造（形状）で、打撃に強いために、指先の保護能力が高く、製造コストが低い手袋用指先保護具および手袋を提供する。【解決手段】手袋の指内に挿入する手袋用指先保持具１０Ａにおいて、全体の断面形状がＵ字状であり、上面及び下面の断面形状がＵ字状となる様に構成され、Ｕ字の閉じた部分が手袋の指部の先端側に配置され、Ｕ字状の開いた部分４と隣接する２面５の下方側が開放しており、当該開放している側に指の腹側が位置する。手袋は、手袋用指先保持具１０Ａが手袋の指部の内部の指先に配置される。【選択図】図４
0003231057.tif 000002
【実用新案登録請求の範囲】
【請求項１】
手袋の指の内部に挿入する手袋用指先保持具において、全体の断面形状がＵ字状であり、上面及び下面の断面形状がＵ字状となる様に配置され、Ｕ字の閉じた部分が手袋の指部の先端側に位置され、Ｕ字状の開いた部分と隣接する２面の下方側が開放しており、当該開放している面に指の腹側が位置することを特徴とする手袋用指先保護具。
【請求項２】
Ｕ字状の開いた部分と隣接する上方の空間が一部閉鎖されており、当該閉鎖している空間側に指の背側が位置する請求項１の手袋用指先保護具。
【請求項３】
Ｕ字の閉じた部分の指先側における指の腹側に切欠部を形成した請求項１、２の何れかの手袋用指先保護具。
【請求項４】
Ｕ字状の開いた部分と隣接する上方の空間も開放しており、当該上方の空間側に指の背側が位置する請求項１の手袋用指先保護具。
【請求項５】
先端部のＵ字の内側が面取り加工されている請求項１〜４の何れか１項の手袋用指先保持具。
【請求項６】
耐荷重性を有する樹脂製の請求項1〜５の何れか1項の手袋用指先保持具。
【請求項７】
請求項1〜６の何れか1項の手袋用指先保持具が指部の先端に設けられている手袋。
【請求項８】
請求項７の手袋よりなる護身具。
【考案の詳細な説明】
【技術分野】
【０００１】
本考案は、手袋を着用した着用者の指先を衝撃から保護する手袋用指先保護具および当該保護具を有する手袋に関する。
【背景技術】
【０００２】
手指の挟圧リスクのある作業現場で使用される安全手袋の技術に関して、例えば、特許文献１や特許文献２に記載の作業手袋や安全手袋などがある。
しかし、特許文献１記載の作業手袋は、作業手袋を装着した際に、作業手袋の各指先に装着した指輪型保護具の腹側の部分の幅が極めて狭い。そのため、誤ってハンマー等の工具で指輪型保護具を装着した指を強打した際には、強度が優れた材料製の指輪型保護具であっても破断する可能性がある。或いは破断しないまでも、強打した瞬時の全体的な変形量が大きく、特に手指の腹側には指輪型保護具の接触面積が小さいために大きな圧力が作用して、手指が怪我してしまう恐れがある。
一方、特許文献２記載の安全手袋及びその使用方法では、手袋の指部に、コイルスプリング及び当該コイルスプリングの指先側の外周に配置されたプレートから成る保護冶具が内装されている。しかし、個人により異なる形状及び大きさの五指の各々に適合したコイルスプリングを製造するのは煩雑であり、製造コストも嵩むという問題を有している。
【先行技術文献】
【特許文献】
【０００３】
【特許文献１】特許第５４０６４０３号
【特許文献２】特許第６５２４９３５号
【考案の概要】
【考案が解決しようとする課題】
【０００４】
本考案は上述した従来技術の問題点に鑑みて提案されたものであり、シンプルな構造（形状）で、打撃に強く、形状変化も微小であり、手指、特に指先の保護性能が良好で、製造コストを低く抑えることが出来る手袋用指先保護具および手袋の提供を目的としている。
【課題を解決するための手段】
【０００５】
本考案の手袋用指先保護具（１０）及び手袋（２０）は、手袋（２０）の指（２１）の内部（２１ｉ）に挿入する手袋用指先保持具（１０）において、全体の断面形状がＵ字状であり、上面（１）及び下面（２）の断面形状がＵ字状となる様に構成され、Ｕ字の閉じた部分（３）が手袋（２０）の指部（２１）の先端側に配置され、Ｕ字状の開いた部分（４）と隣接する２面（５、５）の下方側が開放しており、当該開放している側に指の腹側が位置することを特徴としている。
ここで、前記手袋用指先保持具（１０Ａ）は、Ｕ字状の開いた部分（４）と隣接する空間の上方が一部閉鎖されており、一部閉鎖している空間（９）側に指（８）の背側（８ｂ）が位置するように構成されてもよい。
また本考案において、Ｕ字の閉じた部分（３）の指先側（矢印Ｔ側）の指の腹側に切欠部（６７Ｔ）を形成することが好ましい。
そして本考案において、縁部は全て湾曲している（アールが形成されている）のが好ましい。
あるいは、Ｕ字状の開いた部分（４）と隣接する空間の上方も開放しており、当該上方の空間側に指（８）の背側（８ｂ）が位置するように構成されていてもよい。
【０００６】
本考案において、前記手袋用指先保持具（１０Ｂ）は、先端部のＵ字の内側が面取り加工（５ｃ）されていることが好ましい。
また、前記手袋用指先保持具（１０、１０Ａ、１０Ｂ）は、耐荷重性及び耐衝撃性を有する樹脂（例えば、ＡＢＳ樹脂、ＰＡ６６樹脂、ＲＯＭ樹脂）であることが好ましい。
【０００７】
そして、手袋用指先保護具（１０、１０Ａ、１０Ｂ）を内装した手袋（２０）は、上記手袋用指先保持具（１０、１０Ａ、１０Ｂ）が手袋（２０）の指部（２１）の先端に設けられていることが好ましい。
【０００８】
また、前述の手袋用指先保護具（１０、１０Ａ、１０Ｂ）を内装した手袋（２０）は、暴漢からの攻撃に対して効果的に反撃するための護身具として用いることもできる。
ここで、手袋用指先保護具（１０、１０Ａ、１０Ｂ）を収容する手袋（２０）としては、市販の作業用手袋（２０）を用いることも出来る。
【考案の効果】
【０００９】
上述の構成を具備する本考案によれば、手袋用指先保持具（１０、１０Ａ、１０Ｂ）は、形状が極めてシンプルで、材料（例えばＡＢＳ樹脂、ＰＡ６６樹脂、ＲＯＭ樹脂）が樹脂のため、成形性も優れている。従って、低コストである。
上記材料（ＡＢＳ樹脂、ＰＡ６６樹脂、ＲＯＭ樹脂）は、耐圧縮加重及び耐衝撃加重が大であり、ハンマー等の工具で打撃しても圧壊してしまう恐れがない。
また、上面（１）及び下面（２）の断面形状がＵ字状となる様に構成されているため、Ｕ字状の開いた部分（４）の少なくとも一方に指の腹部分（指の背の反対側の部分）を位置させることにより、係る手袋用指先保持具（１０、１０Ａ、１０Ｂ）を指部（２１）の先端に配置した手袋（２０）を装着した際に、作業者の作業性は良好な状態に保持される。
【００１０】
さらに、手袋用指先保護具（１０、１０Ａ、１０Ｂ）を硬い材質で構成すれば、当該保護具（１０、１０Ａ、１０Ｂ）を内装した手袋（２０）の指部も硬く、その硬い指部を用いて暴漢からの攻撃に対して効果的に反撃することが出来る。そのための本考案の手袋用指先保護具（１０、１０Ａ、１０Ｂ）を内装した手袋（２０）は、護身具としても効果的に使用することができる。
【図面の簡単な説明】
【００１１】
【図１】本考案の第１実施形態の手袋用指先保持具を示す斜視図である。
【図２】第１実施形態における手袋用指先保持具の平面図である。
【図３】第１実施形態における手袋用指先保持具の側面図である。
【図４】本考案の第２実施形態の手袋用指先保持具を示す斜視図である。
【図５】第２実施形態における手袋用指先保持具の平面図である。
【図６】第２実施形態における手袋用指先保持具の側面図である。
【図７】第２実施形態における手袋用指先保持具の正面図である。
【図８】本考案の第３実施形態の斜視図である。
【図９】第３実施形態の側面図である。
【図１０】第４実施形態における手袋用指先保持具の平面図である。
【図１１】図示の実施形態に係る手袋用指先保持具を手袋の指内の先端部に挿入した状態を示す説明図である。
【考案を実施するための形態】
【００１２】
以下、添付図面を参照して、本考案の実施形態について説明する。
先ず、図１〜図３及び図９を参照して本考案の第１実施形態について説明する。
図１、図２において、第１実施形態に係る手袋用指先保護具１０は、断面が半円状の半円弧部６と、半円弧部６に接続し、相向かい合う直線並行部７、７とで構成されており、全体の断面がＵ字状に構成されている。
【００１３】
図９において、第１実施形態の手袋用指先保護具１０は、手袋２０の５本の指２１（指２本のみを実線で示し、他の３本の指については点線で示し且つ符号２１を省略している）の内部２１ｉに挿入・配置されている。
図１〜図３で示す様に、手袋用指先保護具１０は上面１及び下面２の断面形状が同一であり、Ｕ字状に構成されている。そして、Ｕ字の閉じた部分３が手袋２０の指部２１（図９参照）の先端部に配置される。そして、Ｕ字状の開いた部分４には平行に延在する二面５、５が設けられており、Ｕ字状の手袋用指先保護具１０の上面１側及び下面２側の何れも開放している。
図３において、下面２側に指８の腹側８ａが位置している。ここで、図３における符号８ｂは、指８の背側を示している。
明確には図示されていないが、第１実施形態の手袋用指先保護具１０の材料としては、ＡＢＳ樹脂、ＰＡ６６樹脂、ＲＯＭ樹脂から選択することが出来る。
【００１４】
第１実施形態に係る手袋用指先保護具１０は、上面１から下面２に向かう方向或いはその逆方向に作用する圧縮力、打撃力に対する耐性が極めて高く、その様な圧縮力や打撃力が作用しても破断等は生じ難い。また、構造は極めてシンプルであり、製造コストが高騰することはない。
さらに、手袋用指先保護具１０の手袋２０の指部２１の内部２１ｉ先端への挿入作業は、Ｕ字の閉じた部分３を先端にして、図示を省略した棒状部材を押し当てて押し込むことにより、容易に手袋２０の指先の所定位置に挿入、配置される。
【００１５】
図示の第１実施形態によれば、手袋用指先保持具１０は、形状が極めてシンプルで、樹脂材料（ＡＢＳ、ＰＡ６６、ＲＯＭ）製であるため成形性も優れており、製造コストが低い。
また、手袋用指先保持具１０の形状に起因して、図１における上面１から下面２に向かう方向或いはその逆方向の圧縮力、打撃力に対しては極めて高い耐性を有している。上記材料（ＡＢＳ樹脂、ＰＡ６６樹脂、ＲＯＭ樹脂）も耐圧縮加重及び耐衝撃加重が大きい。そのため、（図１における上面１から下面２に向かう方向或いはその逆方向に）ハンマーなどで打撃した場合でも圧壊の恐れはなく、作業者の指先を確実に保護することが出来る。
ここで、図示の第１実施形態では、手袋用指先保持具１０の開放した部分に指の腹部分（指の背の反対側の部分）が位置するので、手袋用指先保持具１０を指部２１の先端に配置した手袋２０（図１１参照）を装着した際に、作業性が良好な状態に保たれる。
【００１６】
次に、図４〜図７を参照して、本考案の第２実施形態に係る手袋用指先保護具１０Ａについて説明する。
第２実施形態の手袋用指先保持具１０Ａは、Ｕ字状の開いた部分４と隣接する２面５、５の上方の一部が天蓋９Ａ或いは９Ｂによって閉鎖されている。図６で示すように、その天蓋９Ａ或いは９Ｂによって一部が閉鎖されている側に、指８の背側８ｂが位置するように構成されている。
なお、図６における符号８ａは指の腹側である。
図４〜図７の第２実施形態における上記以外の構成及び作用効果については、図１〜図３の第１実施形態と同様である。
【００１７】
次に図８、図９を参照して、本考案の第３実施形態を説明する。
図８、図９において、第３実施形態に係る手袋用指先保護具は全体が符号１０Ｃで示されている。手袋用指先保護具１０Ｃの先端或いは指先側先端（矢印Ｔ方向先端）或いはＵ字の閉じた部分３（図１〜図３参照）の指先側先端（矢印Ｔ側先端）において、指の腹側（図８、図９では下側）に切欠部６７Ｔが形成されている。
図９で示す様に、切欠部６７ＴはＵ字の閉じた部分（３：図１〜図３参照）の全域に形成されている訳ではなく、指の腹側にのみ形成されている。
係る切欠部６７を形成することにより、手袋用指先保持具１０Ｃを手袋２０（図１１参照）の指部２１の先端に容易に配置することが出来る。そして、作業者の指先の感覚が手袋用指先保持具を設けていない場合に近づくので、作業性がさらに向上する。
【００１８】
明確には図示されていないが、図８、図９において、手袋用指先保護具１０Ｃにおける全ての縁部は湾曲している（アールが形成されている）。
図８、図９の第３実施形態におけるその他の構成及び作用効果は、図１〜図７の実施形態と同様である。
【００１９】
次に、図１０を参照して、本考案の第４実施形態の手袋用指先保護具１０Ｂについて説明する。
第４実施形態に係る手袋用指先保護具１０Ｂ１では、Ｕ字状の開いた部分４に隣接する二面５、５の相向かうコーナー部、つまり先端部（図８における図示の下端部）のＵ字の内側二箇所に面取り５ｃが形成されている。
図１０の第４実施形態における上記以外の構成及び作用効果については、図１〜図９の実施形態と同様である。
【００２０】
図１〜図１０の手袋用指先保持具１０、１０Ａ、１０Ｂ、１０Ｂ１、１０Ｃを内装した手袋２０は、図１１で示すように、上記手袋用指先保持具１０（１０Ａ、１０Ｂ、１０Ｂ１、１０C）が手袋２０の指部２１の内部２１ｉの指先に配置される。
ここで、第１実施形態〜第４実施形態の前記手袋用指先保持具１０、１０Ａ、１０Ｂ、１０Ｂ１、１０Ｃを指先先端の内部に装着（配置）した手袋２０は、暴漢からの攻撃に対して、反撃（例えば、空手の貫手等の技による反撃）するための護身具として用いることもできる。
【００２１】
図示の実施形態はあくまでも例示であり、本考案の技術的範囲を限定する趣旨の記述ではないことを付記する。
【符号の説明】
【００２２】
１・・・上面
２・・・下面
３・・・Ｕ字状の閉じた部分
４・・・Ｕ字状の開いた部分
５・・・隣接する２面
６・・・半円弧部
７・・・直線並行部
８・・・指
９、９Ａ・・・天蓋（閉鎖している面）
１０、１０Ａ、１０Ｂ、１０Ｂ１・・・手袋用指先保持具
２０・・・手袋
【図１】
0003231057.tif 000003
【図２】
0003231057.tif 000004
【図３】
0003231057.tif 000005
【図４】
0003231057.tif 000006
【図５】
0003231057.tif 000007
【図６】
0003231057.tif 000008
【図７】
0003231057.tif 000009
【図８】
0003231057.tif 000010
【図９】
0003231057.tif 000011
【図１０】
0003231057.tif 000012
【図１１】
0003231057.tif 000013